(57)【特許請求の範囲】
【請求項１】
表示装置を備える端末であって、
前記端末の所定の機能が利用不可能である機能利用不可状態において前記表示装置上に、前記端末に備えられたカメラから入力された所定の画像を表示する表示手段と、
前記画像の予め設定された特定の位置の色を認識する色認識手段と、
前記色認識手段により認識された色が予め登録された条件を満たすか判断する判断手段と、
前記判断手段により前記色が前記条件を満たすと判断された場合に前記所定の機能を利用可能とする利用不可状態解除手段と、
を備え、
前記表示手段は、前記所定の画像と共に前記特定の位置を示す表示をする、端末。
【請求項２】
前記判断手段が、前記色認識手段により認識された色が、予め登録された暗証色と近似するかを判断することで、前記色認識手段により認識された色が予め登録された条件を満たすか判断する請求項１に記載の端末。
【請求項３】
前記色認識手段が、所定の位置の、複数の色それぞれの画素値で色を認識し、
前記判断手段が、前記色認識手段により認識された複数の色それぞれの画素値と予め登録された暗証色を示す前記複数の色それぞれの画素値とを比較し、それらが予め設定された範囲内にあるか判断することで、認識した色が予め登録された暗証色と近似するかを判断する請求項２に記載の端末。
【請求項４】
前記暗証色を登録する登録手段を備え、
前記表示手段が、前記暗証色を登録するために前記表示装置上に所定の画像を表示し、
前記色認識手段が、前記暗証色を登録するために前記画像の所定の位置の色を認識し、
前記登録手段が、前記所定の位置の色を、前記暗証色として登録する、請求項２または３に記載の端末。
【請求項５】
前記色認識手段が、前記表示手段が表示した画像の位置を示す情報の入力を受けつけ、該入力により指定された前記表示装置上の位置の色を認識する請求項１〜４のいずれか一項に記載の端末。
【請求項６】
前記色認識手段が、色を認識する契機を示す入力を受けつけ、該入力を契機として前記特定の位置の色を認識する請求項１〜５のいずれか一項に記載の端末。
【請求項７】
前記色認識手段が、前記特定の位置の一定時間の色の変化が所定の範囲内であれば、該特定の位置の色を認識する請求項１〜６のいずれか一項に記載の端末。
【請求項８】
前記表示手段が、前記端末に記憶されている画像を表示する請求項１〜７のいずれか一項に記載の端末。
【請求項９】
表示装置を備える端末による制御方法であって、
前記端末の所定の機能が利用不可能である機能利用不可状態において前記表示装置上に、前記端末に備えられたカメラから入力された所定の画像を表示する表示ステップと、
前記画像の予め設定された特定の位置の色を認識する色認識ステップと、
前記色認識ステップにより認識された色が予め登録された条件を満たすか判断する判断ステップと、
前記判断ステップにて前記認識された色と前記予め登録された色とが一致すると判断された場合に前記所定の機能を利用可能とする利用不可状態解除ステップと、
を含み、
前記表示ステップでは、前記所定の画像と共に前記特定の位置を示す表示をする、制御方法。
【発明の詳細な説明】
【技術分野】
【０００１】
本発明は、端末及びその制御方法に関する。
【背景技術】
【０００２】
液晶ディスプレイを備えた携帯端末は、消費電力の低減のため、一定時間操作されなかった場合やユーザが指定ボタンを押下した場合に、ディスプレイを消灯して休止モードに入る。休止モードから復帰する際は、セキュリティ確保のためロック設定がされていることが多い。特に近年はスマートフォンやタブレットが普及し、携帯端末で扱う個人情報が増えたこともあり、携帯端末にロック設定を行うユーザが増えている。ロック設定がされている場合には、休止モードからの復旧に際し、ユーザは都度当該ロック設定を解除する必要がある。
【０００３】
ロック設定を解除するために、休止モードからの復帰時（起動時）に予め設定したパスワードを入力するが、その入力方法として、４桁程度の数字をハードキーで入力する方法や、タッチパネル上の複数の位置を一筆書きになるように指でなぞり、当該指でなぞることにより描いた軌跡と、予めメモリ部に登録された軌跡とを比較して、一致した場合にロック状態を解除する方法が知られている（例えば特許文献１参照）。
【先行技術文献】
【特許文献】
【０００４】
【特許文献１】特開２００７−２５７１４０号公報
【発明の概要】
【発明が解決しようとする課題】
【０００５】
しかしながら、従来の方法は、ロック解除を行うために、ハードキー入力を行うか、または、特定の軌跡を描くようにタッチパネルなぞるか、が必要であるため、他人が当該パスワード入力時の指の動きを盗み見てパスワードや軌跡を類推することが容易であった。さらに、特定の軌跡をタッチパネル上に描く方法にあっては、通常想定される軌跡のパターンは限られており、他人が指の動きを盗み見て軌跡を類推することが特に容易であった。即ち、従来の方法では、他人が指の動きからパスワードや軌跡を類推することができるため、他人に容易に機能利用不可状態を解除されるという問題があった。
【０００６】
本発明は上記実情に鑑みてなされたものであり、端末がロック状態などの機能利用不可状態である場合に、他人が容易に当該機能利用不可状態を解除することを防止する端末及びその制御方法を提供することを目的とする。
【課題を解決するための手段】
【０００７】
本発明に係る端末は、表示装置を備える端末であって、端末の所定の機能が利用不可能である機能利用不可状態において表示装置上に所定の画像を表示する表示手段と、画像の所定の位置の色を認識する色認識手段と、色認識手段により認識された色が予め登録された条件を満たすか判断する判断手段と、判断手段により色が条件を満たすと判断された場合に所定の機能を利用可能とする利用不可状態解除手段と、を備える。
【０００８】
この端末では、ロック状態などの機能利用不可状態である場合に、表示手段により表示された画像の所定の位置の色が色認識手段により認識され、当該認識された所定の位置の色が予め登録された条件を満たすかが判断手段により判断される。その結果、条件を満たすと判断されれば、端末の機能利用不可状態は解除され、ユーザは、当該機能利用不可状態が解除された機能を利用することができる。ユーザは、機能利用不可状態を解除するための一連の作業において、色を選択するための操作のみの実施でよく、従来必要であった、パスワード入力のためのハードキー入力や、軌跡を描くためのタッチパネルをなぞる操作が不要となる。
【０００９】
ユーザがパスワード入力のためのハードキー入力や軌跡を描くためのタッチパネルをなぞる操作を行わずに、機能利用不可状態を解除できるため、他人が指の動きを盗み見てロック解除のためのパスワードや軌跡を類推することは困難となる。よって、本発明によれば、端末がロック状態などの機能利用不可状態である場合に、他人が容易に当該機能利用不可状態を解除することを防止する端末を提供することができる。
【００１０】
また、本発明に係る端末において、判断手段が、色認識手段により認識された色が、予め登録された暗証色と近似するかを判断することで、色認識手段により認識された色が予め登録された条件を満たすか判断することが好ましい。予め登録された暗証色との一致を条件とすることにより、判断手段が単純に色同士を比較すればよいこととなり、複雑な判断ロジックが不要となる。このことにより、本願発明のより簡易な実施が可能となる。
【００１１】
また、本発明に係る端末において、色認識手段が、所定の位置の、複数の色それぞれの画素値で色を認識し、判断手段が、色認識手段により認識された複数の色それぞれの画素値と予め登録された暗証色を示す複数の色それぞれの画素値とを比較し、それらが予め設定された範囲内にあるか判断することで、認識した色が予め登録された暗証色と近似するかを判断することが好ましい。本構成により、当該発明の確実な実施が可能となる。
【００１２】
また、本発明に係る端末において、暗証色を登録する登録手段を備え、表示手段が暗証色を登録するために表示装置上に所定の画像を表示し、色認識手段が暗証色を登録するために画像の所定の位置の色を認識し、登録手段が所定の位置の色を暗証色として登録することが好ましい。暗証色の登録を利用不可状態解除時と同様の操作で行い、ユーザの簡易な操作による暗証色の登録を可能とする。このことで、当該端末による利用不可状態解除のための事前設定を、簡易に実施可能とする。
【００１３】
また、本発明に係る端末において、色認識手段が、表示手段が表示した画像の位置を示す情報の入力を受けつけ、該入力により指定された表示装置上の位置の色を認識することが好ましい。ユーザは、自身の操作により、表示された画像中の任意の位置を示し、色認識手段に認識させる色を選択することができる。このことにより、画像が表示された際に、ユーザは、当該画像内で予め登録された条件を満たす色である位置を、直感的に、簡易に、選択することができる。即ち、ユーザの操作容易度を向上させることができる。
【００１４】
また、本発明に係る端末において、表示手段が、端末に備えられたカメラから入力された画像を表示する。表示手段がカメラから入力された画像を表示することにより、表示手段は機能利用不可状態解除の都度異なる画像を表示することとなる。このことにより、他人が機能利用不可状態解除のための、予め登録された条件を満たす色を類推することがより難しくなり、機能利用不可状態を解除することに対する防止効果を向上させることができる。
【００１５】
また、本発明に係る端末において、色認識手段が、表示手段が表示した画像の予め設定された特定の位置の色を認識する。ユーザの操作を必要としないで、予め設定された特定の位置の色を色認識手段が認識することによって、ユーザの操作が簡易化される。
【００１６】
また、本発明に係る端末において、表示手段が、所定の画像と共に特定の位置を示す表示をする。色認識手段が色を認識する特定の位置をユーザに示すことにより、画像中のどの位置の色が認識されるのかを、ユーザに明確にすることができる。即ち、ユーザの利用しやすさが向上する。
【００１７】
また、本発明に係る端末において、色認識手段が、色を認識する契機を示す入力を受けつけ、該入力を契機として特定の位置の色を認識することが好ましい。ユーザが色を認識させるタイミングを指定することができ、認識させたいと考えた色を確実に認識させることができる。
【００１８】
また、本発明に係る端末において、色認識手段が、特定の位置の一定時間の色の変化が所定の範囲内であれば、該特定の位置の色を認識することが好ましい。一定時間色の変化がなく（または少なく）、ユーザが認識させたい色を確定させたと考えられる場合に、ユーザによるハードキーやタッチパネルの操作なしで、ユーザが意図した位置の色を認識させることができる。即ち、ユーザの操作容易性をさらに向上させることができる。
【００１９】
また、本発明に係る端末において、表示手段が、端末に記憶されている画像を表示することが好ましい。カメラから入力された画像からのみ、選択手段による選択が可能であるとすると、例えば自分の周りに指定した色が見当たらない場合や、夜間などでカメラを使用しても色の見分けがつかない場合などに、ユーザによる色の選択が実施できないこととなる。そこで、表示手段が端末に記憶されている画像を表示可能とすることによって、上述したようなカメラが使用できない場合にもユーザによる色の選択が可能となる。即ち、ユーザにとっては、外部環境に左右されずに機能利用不可状態を解除することができる。
【００２０】
また、本発明に係る制御方法は、表示装置を備える端末による制御方法であって、端末の所定の機能が利用不可能である機能利用不可状態において表示装置上に、端末に備えられたカメラから入力された所定の画像を表示する表示ステップと、画像の予め設定された特定の位置の色を認識する色認識ステップと、色認識ステップにより認識された色が予め登録された条件を満たすか判断する判断ステップと、判断ステップにて認識された色と予め登録された色とが一致すると判断された場合に所定の機能を利用可能とする利用不可状態解除ステップと、を含み、表示ステップでは、所定の画像と共に特定の位置を示す表示をする。この制御方法は、上述の端末と同様な効果を奏することができる。
【発明の効果】
【００２１】
本発明によれば、端末がロック状態などの機能利用不可状態である場合に、他人が容易に当該機能利用不可状態を解除することを防止する端末及びその制御方法を提供することができる。
【図面の簡単な説明】
【００２２】
【図１】本発明の実施形態に係る携帯端末の機能ブロックを示す図である。
【図２】本発明の実施形態に係る携帯端末の外観を示す図である。
【図３】本発明の実施形態に係る携帯端末の色の誤差判定に関する図である。
【図４】本発明の実施形態に係る携帯端末のハードウェア構成を示す図である。
【図５】本発明の実施形態に係る携帯端末の、暗証色設定処理に関するフローチャートである。
【図６】本発明の実施形態に係る携帯端末の、ロック解除処理に関するフローチャートである。
【発明を実施するための形態】
【００２３】
以下、図面と共に本発明に係る端末及びその制御方法の好適な実施形態について詳細に説明する。なお、図面の説明においては同一要素には同一符号を付し、重複する説明を省略する。
【００２４】
図１は、本発明の実施形態に係る端末である携帯端末１の機能ブロックを示す図である。図２は、本発明の実施形態に係る携帯端末１の外観を示す図である。図１に示すように、本実施形態に係る携帯端末１は、タッチパネル１１と、表示部１２と、色認識部１３と、判断部１４と、利用不可状態解除部１５と、登録部１６と、アウトカメラ２１と、インカメラ２２と、を備えて構成される。携帯端末１としては、例えば携帯電話機やタブレット型コンピュータなどの携帯通信機器を用いることができる。携帯端末１が携帯電話機である場合には、上記の構成要素以外に通話機能なども備えている。
【００２５】
タッチパネル１１は、表示装置であると共に入力装置である。タッチパネル１１は、ユーザの指などが接触または近づくことによる静電容量や電圧の変化を検知し、これらの変化を出力信号として、機器を操作する。機器の操作として、具体的には、文字の入力や、範囲の選択などが可能である。
【００２６】
アウトカメラ２１及びインカメラ２２は、携帯端末１に備えられたカメラである。当該カメラから入力された画像は、表示部１２によってタッチパネル１１に表示される。図２に示すように、アウトカメラ２１は、携帯端末１の外側（タッチパネル１１の表示面の逆側）に備えられており、インカメラ２２は、携帯端末１の内側（タッチパネル１１の表示面側）であってタッチパネル１１の上部に備えられている。アウトカメラ２１は、主に静止画及び動画の撮影に使用される。インカメラ２２は、主にテレビ電話等で使用される。
【００２７】
表示部１２は、携帯端末１のタッチパネル１１上の各種表示を制御するものであり、携帯端末１がロック状態などの所定の機能が利用不可能である機能利用不可状態において、タッチパネル１１上に所定の画像を表示する表示手段である。表示部１２が所定の画像を表示するタイミングは、ロック状態においてユーザが携帯端末１のハードキーを押下、またはタッチパネル１１をタップ（ソフトキーを押下）したタイミングである。なお、ハードキーとは携帯端末１に物理的に備えられたボタン等をいい、ソフトキーとは携帯端末１のタッチパネル上にソフトウェアで実現され表示されたキーボード等をいう。
【００２８】
この表示部１２が表示する所定の画像として、携帯端末１に備えられたカメラ（アウトカメラ２１及びインカメラ２２）から入力された画像と、携帯端末１に記憶されている画像と、がある。また、表示部１２は、カメラから入力された画像を表示する際に、入力された所定の画像と共に、特定の位置を示す表示をする。特定の位置を示す表示とは、例えば、所定の画像内で、後述する色認識部１３が色を認識する位置を示す表示などである。
【００２９】
表示部１２が表示する携帯端末１に記憶されている画像としては、プリインストールされている画像、壁紙の画像、ユーザが撮影した画像などがある。なお、ユーザが撮影した画像を表示する際には、事前にロック解除画面で表示する画像として設定した画像のみ、表示する（ロック解除を行うための画面で、本来ロック解除後に表示できる画像であって、ユーザが許可していないものが表示されることを防止するため）。
【００３０】
この表示部１２は、後述する登録部１６による暗証色の登録の際にも、機能利用不可状態における表示と同様に、タッチパネル１１上に所定の画像（即ち、携帯端末１に備えられたカメラから入力された画像または携帯端末１に記憶されている画像）を表示する。
【００３１】
色認識部１３は、表示部１２により表示された画像の所定の位置の色を認識する色認識手段である。画像の所定の位置の色の認識は、当該所定の位置の画素の複数の色それぞれの画素値で認識される。例えば、ＲＧＢ（赤、緑、青）各２５６段階の組み合わせで色が認識される。なお、位置は画像における座標で特定される。
【００３２】
この色認識部１３は、表示部１２が表示した画像の位置を示す情報の入力を受けつけて、当該入力により指定されたタッチパネル１１上の位置の色を認識する。画像の位置を示す情報の入力とは、例えば、画像が表示された状態で、ユーザがタッチパネル１１上の所定の位置を指で指定（タップ）することにより行う入力等をいう。当該指でのタッチパネル１１上の位置の指定は、携帯電話機やＰＣなどで通常備わっている拡大表示機能などで適宜拡大表示させて行う。
【００３３】
あるいは、この色認識部１３は、表示部１２がカメラから入力された画像（例えば、カメラから入力されたユーザが身に着けている腕時計や万年筆の色など）を表示した場合に、予め設定された特定の位置の色を認識する。特定の位置は、例えば、カメラから入力された画像の中心部分等、ユーザにとってわかりやすい位置を設定する。
【００３４】
この色認識部１３は、カメラから入力された画像の予め設定された特定の位置の色を認識する場合には、ユーザからの色を認識する契機を示す入力を受けつけて該入力を契機に特定の位置の色を認識する。ユーザからの色を認識する契機を示す入力とは、携帯端末１のハードキーの押下（即ち決定ボタンに相当するキーの押下）や、タッチパネル１１のタップ（ソフトキーの押下）等をいう。
【００３５】
この色認識部１３は、カメラから入力された画像の予め設定された特定の位置の色を認識する場合には、前記特定の位置の一定時間の色の変化が所定の範囲内であれば、該特定の位置の色を認識する。ここで、一定時間とは、１秒程度の時間をいい、１秒程度としている理由は、第三者がいたずらに解除できないようにするためである。また、色の変化が所定の範囲内とは、予め設定した色の誤差の距離を５０〜１００程度の値としたときに、一定時間の色が全てその誤差の範囲内であることをいう。
【００３６】
色の誤差の距離について図３により説明する。図３は、本発明の実施形態に係る携帯端末１の色の誤差判定に関する図である。図３は、ＲＧＢをＸＹＺの立体空間に見立てている。ＲＧＢは各２５６段階としており、赤（２５５，０，０）、緑（０，２５５，０）、青（０，０，２５５）のように示す。他の色は、赤、緑、青の組み合わせによって示され、例えば、白（２５５，２５５，２５５）、マゼンタ（２５５，０，２５５）のように示される。ＲＧＢのうち１つが１段階変化したときの距離を１とすると、黒（０，０，０）から白（２５５，２５５，２５５）までの２点の距離（図３中では立方体の対角線）は４４１．７（＝２５５√３）となる。当該距離を色の誤差の距離とする。色の変化が所定の範囲内である範囲として色の誤差の距離を５０〜１００程度の値としたときには、ユーザが直観的に同一の色だと判断しうる色の範囲を、許容することができる。
【００３７】
この色認識部１３は、後述する登録部１６による暗証色の登録の際にも、機能利用不可状態における色認識と同様に、表示部１２により表示された画像の所定の位置の色を認識する。
【００３８】
判断部１４は、色認識部１３により認識された色が予め登録された条件を満たすか判断する判断手段である。本実施形態において認識された色が予め登録された条件を満たすとは、認識された色が予め登録された暗証色と近似することをいう。
【００３９】
この判断部１４は、色認識部１３により認識された所定の位置の複数の色それぞれの画素値と、予め登録された暗証色を示す複数の色それぞれの画素値とを比較し、それらが予め設定された範囲内にあるか判断することで、認識された色が予め登録された暗証色と近似するかを判断する。予め設定された範囲内とは、予め設定した色の誤差の距離を５０〜１００程度の値とし、認識された色と暗証色とが当該誤差の範囲内であることをいう。
【００４０】
利用不可状態解除部１５は、判断部１４により、色認識部１３が認識した色が、予め登録された暗証色と近似すると判断された場合に、携帯端末１のロックを解除する、利用不可状態解除手段である。利用不可状態解除部１５によってロックが解除された場合には、解除前に無効とされていたタッチパネル１１を使った操作やハードキーの操作が有効となる。なお、図示しないが、携帯端末１は上述したように携帯端末１が一定時間操作されなかったことを検出して、あるいは、ユーザがタッチパネル１１またはハードキーの指定ボタンを押下したことによる入力を受けつけて、携帯端末１をロック状態に設定する機能手段を備えている。
【００４１】
登録部１６は、暗証色を登録する登録手段である。本実施形態においては、色認識部１３により認識された色が予め登録された暗証色と近似することを条件に、ロックが解除される。即ち、ロック解除を行う前提として、暗証色を事前に登録しておく必要があるため、当該暗証色の登録を登録部１６が行う。
【００４２】
この登録部１６は、表示部１２が表示した画像の内、色認識部１３が認識した所定の位置の色を暗証色として登録する。即ち、ロック解除の際にユーザが行うオペレーションと同様の流れで、登録部１６は暗証色を登録することができる。登録部１６によって登録された暗証色は、判断部１４に保存される。
【００４３】
図４は、本発明の実施形態に係る携帯端末１のハードウェア構成を示す図である。図４に示すように、本実施形態に係る携帯端末１は、ＣＰＵ（Central Processing Unit）１０１、主記憶装置であるＲＡＭ（RandomAccess Memory）１０２及びＲＯＭ１０３（Read Only Memory)、タッチパネル１１、アウトカメラ２１、インカメラ２２、通信モジュール１０４、補助記憶装置１０５、アンテナ１０６等のハードウェアにより構成されている。これらの構成要素が動作することにより、上述した携帯端末１の各機能が発揮される。以上が携帯端末１の構成である。
【００４４】
引き続いて、図５のフローチャートを用いて、本発明の実施形態に係る携帯端末１の暗証色設定処理を説明する。本処理は、携帯端末１の暗証色を設定する際に実行される。
【００４５】
携帯端末１では、ユーザが暗証色の設定を行うために、所定の暗証色設定機能を起動させると、表示部１２によって、タッチパネル１１上に、画像指定方法の選択受付画面が表示される（Ｓ０１）。ここでユーザは、アウトカメラモード、インカメラモード、記憶画像モードのいずれかのモードを選択する。
【００４６】
Ｓ０１において、ユーザがアウトカメラモードを選択した場合には、ユーザの選択がタッチパネル１１で受けつけられ、当該タッチパネル１１が受けつけた内容に従って、表示部１２によりアウトカメラ２１が起動される（Ｓ０２）。同様に、Ｓ０１において、ユーザがインカメラモードを選択した場合には、表示部１２によりインカメラ２２が起動される（Ｓ０３）。アウトカメラ２１またはインカメラ２２が起動された場合には、表示部１２により、当該カメラから入力された画像が表示される（Ｓ０４）。一方で、Ｓ０１において、ユーザが記憶画像モードを選択した場合には、表示部１２により携帯端末１に記憶されている画像が表示される（Ｓ０５）。
【００４７】
表示部１２によって、Ｓ０４のカメラから入力された画像の表示または、Ｓ０５の携帯端末に記憶されている画像の表示がなされると、色認識部１３により、ユーザの位置選択受付が開始される（Ｓ０６）。ユーザが画像中の任意の位置を選択すると、色認識部１３により、当該選択された位置の色が認識される（Ｓ０７）。
【００４８】
色認識部１３により、選択された位置の色が認識されると、表示部１２により、当該認識された色を暗証色として設定してよいかどうかのメッセージが表示される（Ｓ０８）。ユーザは当該メッセージに対して、ＹＥＳかＮＯかのいずれかを選択する。
【００４９】
Ｓ０８において、ユーザがＮＯを選択した場合には、再度、表示部１２による所定画像の表示がされる（Ｓ０４、Ｓ０５）。一方で、Ｓ０８において、ユーザがＹＥＳを選択した場合には、ユーザが暗証色を正しく記憶したかどうかを確認するため、再度、色認識部１３によるユーザ位置選択受付が行われる（Ｓ０９）。
【００５０】
ユーザが任意の位置を選択すると、表示部１２により、当該認識した色を暗証色として設定してよいかどうかのメッセージが表示される（Ｓ１０）。ユーザがＮＯを選択すると、再度ユーザの位置選択受付が行われる（Ｓ０９）。一方で、ユーザがＹＥＳを選択すると、色認識部１３により選択された位置の色が一度目と一致するか否かが判定される（Ｓ１１）。ここで、色の誤差の距離を５０〜１００程度の値とし、一度目に選択された色と二度目に選択された色とが、当該誤差の範囲内であれば、これらの色は一致すると判定される。なお、一度目に選択された位置と二度目に選択された位置とが同一であるか否かは問題とならない。
【００５１】
Ｓ１１において、一度目と二度目で選択された位置の色が一致すると判定された場合には、登録部１６により、色認識部１３により認識した色が暗証色として設定、登録される（Ｓ１２）。携帯端末１の暗証色設定処理の説明は以上である。
【００５２】
引き続いて、図６のフローチャートを用いて、本発明の実施形態に係る携帯端末１のロック解除処理を説明する。本処理は、携帯端末１のロックを解除する際に実行される。なお、当該処理の前段階として、ユーザは前述した携帯端末１の暗証色設定を行う必要がある。
【００５３】
携帯端末１では、ロック状態において、携帯端末１のハードキーを押下（もしくはタッチパネル１１をタップ）すると、表示部１２によって、タッチパネル１１上に、画像指定方法の選択受付画面が表示される（Ｓ１３、表示ステップ）。ここでユーザは、アウトカメラモード、インカメラモード、記憶画像モードのいずれかのモードを選択する。
【００５４】
Ｓ１３において、ユーザがアウトカメラモードを選択した場合には、ユーザの選択がタッチパネル１１で受けつけられ、当該タッチパネル１１が受けつけた内容に従って、表示部１２によりアウトカメラ２１が起動される（Ｓ１４、表示ステップ）。同様に、Ｓ１３において、ユーザがインカメラモードを選択した場合には、表示部１２によりインカメラ２２が起動される（Ｓ１５、表示ステップ）。アウトカメラ２１またはインカメラ２２が起動された場合には、表示部１２により、当該カメラから入力された画像が表示される（Ｓ１６、表示ステップ）。
【００５５】
表示部１２によって、Ｓ１６のカメラから入力された画像の表示がなされると、色認識部１３により、色を認識する契機（トリガ）の検出が行われる（Ｓ１７、色認識ステップ）。色を認識する契機としては、具体的には、表示されたタッチパネル１１の所定の位置がタップされたことや、表示された画像の特定の位置の色を認識する指令として十字キーなどのハードキー入力がされたことや、表示された画像の特定の位置の一定時間の色の変化が所定の範囲内であること等がある。
【００５６】
Ｓ１７において色を認識する契機が検出されると、色認識部１３により、当該契機に応じた位置の色が認識される（Ｓ１８、色認識ステップ）。契機に応じた位置とは、タッチパネル１１の所定の位置がタップされたことが検出された場合には当該タップされた位置をいい、表示された画像の特定の位置の色を認識する指令としてハードキー入力が検出された場合には当該特定の位置をいい、表示された画像の特定の位置の一定時間の色の変化が所定の範囲内であることが検出された場合には当該特定の位置をいう。
【００５７】
次に、判断部１４により、当該認識された色と暗証色とが比較され（Ｓ１９、判断ステップ）、一致するか否かが判断される（Ｓ２０、判断ステップ）。暗証色との一致を判断する際には、完全に一致していなくても、近似していればよく、色の誤差の距離を５０〜１００程度の値とし、認識された色と暗証色とが当該誤差の範囲内であれば、一致していると判断する。Ｓ２０にて、暗証色と一致しないと判断された場合には、再度、カメラから入力された画像が表示され、色認識部１３によって、色を認識する契機が検出される（Ｓ１６、Ｓ１７）。
【００５８】
Ｓ２０にて、暗証色と認識された色とが一致すると判断された場合には、利用不可状態解除部１５によって、携帯端末１のロックは解除される（Ｓ２１、利用不可状態解除ステップ）。
【００５９】
Ｓ１３において、ユーザが記憶画像モードを選択した場合には、表示部１２により携帯端末１に記憶されている画像が表示される（Ｓ２２、表示ステップ）。
【００６０】
表示部１２によって、Ｓ２２の携帯端末１に記憶されている画像の表示がなされると、色認識部１３により、ユーザの位置選択受付が開始される（Ｓ２３、色認識ステップ）。ユーザの位置選択としては、具体的には、表示部１２により画像が表示されたタッチパネル１１の所定の位置をタップすること等がある。
【００６１】
Ｓ２３においてユーザの位置選択が受けつけられると、色認識部１３により、当該選択された位置の色が認識される（Ｓ２４、色認識ステップ）。
【００６２】
次に、判断部１４により、当該認識された色と暗証色とが比較され（Ｓ２５、判断ステップ）、一致するか否かが判断される（Ｓ２６、判断ステップ）。暗証色との一致を判断する際には、完全に一致していなくても、近似していればよく、色の誤差の距離を５０〜１００程度の値とし、認識された色と暗証色とが当該誤差の範囲内であれば、一致していると判断する。Ｓ２６にて、暗証色と一致しないと判断された場合には、再度、携帯端末に記憶されている画像が表示され、色認識部１３によって、ユーザの位置選択受付がされる（Ｓ２２、Ｓ２３）。
【００６３】
Ｓ２６にて、暗証色と認識された色とが一致すると判断された場合には、利用不可状態解除部１５によって、携帯端末１のロックは解除される（Ｓ２７、利用不可状態解除ステップ）。
【００６４】
なお、ロック解除に一定回数以上、例えば３回以上、失敗した場合には、判断部１４によって、ユーザは一定時間ロック解除にトライすることができないように制御され、ロック解除操作も含めた全ての操作が無効とされる。このことにより、第三者が悪意をもってロック解除を試みようとした場合の抑止効果が図れる。
【００６５】
次に、本実施形態に係る携帯端末１の作用・効果について説明する。
【００６６】
この携帯端末１では、ロック状態などの機能利用不可状態である場合に、表示部１２により表示された画像の所定の位置の色が色認識部１３により認識され、当該認識された所定の位置の色が予め登録された条件を満たすかが判断部１４により判断される。その結果、条件を満たすと判断されれば、携帯端末１の機能利用不可状態は解除され、ユーザは、当該機能利用不可状態が解除された機能を利用することができる。ユーザは、機能利用不可状態を解除するための一連の作業において、色を選択するための操作のみの実施でよく、従来必要であった、パスワード入力のためのハードキー入力や軌跡を描くためのタッチパネル１１をなぞる操作が不要となる。
【００６７】
ユーザがパスワード入力のためのハードキー入力や軌跡を描くためのタッチパネル１１をなぞる操作を行うことなく、機能利用不可状態を解除できるため、他人が指の動きを盗み見てロック解除のためのパスワードや軌跡を類推することは困難となる。さらに、ユーザは、画像中の色を選択する操作のみ行うため、当該操作を見た他人が、当該操作がロック解除のための操作であるということに気づくことが困難である。よって、本発明によれば、携帯端末１がロック状態などの機能利用不可状態である場合に、他人が容易に当該機能利用不可状態を解除することを防止する携帯端末１を提供することができる。
【００６８】
また、本実施形態に係る携帯端末１において、判断部１４が、色認識部１３により認識された色が予め登録された暗証色と近似するかを判断することで、色認識部１３により認識された色が予め登録された条件を満たすか判断することにより、判断部１４が単純に色同士を比較すればよいこととなり、複雑な判断ロジックが不要となる。このことにより、本願発明のより簡易な実施が可能となる。
【００６９】
また、本実施形態に係る携帯端末１において、色認識部１３が、所定の位置の、複数の色それぞれの画素値で色を認識し、判断部１４、色認識部１３により認識された複数の色それぞれの画素値と予め登録された暗証色を示す複数の色それぞれの画素値とを比較し、それらが予め設定された範囲内にあるか判断することで、認識した色が予め登録された暗証色と近似するかを判断することにより、当該発明の確実な実施が可能となるとともに、所定の位置の色が条件を満たすと判断するために許容する色の誤差を、必要に応じて柔軟に変更可能となる。
【００７０】
また、本実施形態に係る携帯端末１において、暗証色を登録する登録部１６を備え、暗証色の登録を利用不可状態解除時と同様の操作で行うことで、ユーザの簡易な操作による暗証色の登録を可能とする。このことで、当該携帯端末１による利用不可状態解除のための事前設定を、簡易に実施可能とする。
【００７１】
また、本実施形態に係る携帯端末１において、色認識部１３が、表示部１２が表示した画像の位置を示す情報の入力を受けつけ、該入力により指定されたタッチパネル１１の位置の色を認識することで、ユーザは、自身の操作により、表示された画像中の任意の位置を示し、色認識部１３に認識させる色を選択することができる。このことにより、画像が表示された際に、ユーザは、当該画像内で予め登録された条件を満たす色である位置を、直感的に、簡易に、選択することができる。即ち、ユーザの操作容易度を向上させることができる。
【００７２】
また、本実施形態に係る携帯端末１において、表示部１２が、携帯端末１に備えられたカメラから入力された画像を表示することで、表示部１２は機能利用不可状態解除の都度異なる画像を表示することとなる。このことにより、他人が機能利用不可状態解除のための予め登録された条件を満たす色を類推することがより難しくなり、機能利用不可状態を解除することに対する防止効果を向上させることができる。
【００７３】
また、本実施形態に係る携帯端末１において、色認識部１３が、表示部１２が表示した画像の予め設定された特定の位置の色を認識することにより、ユーザの操作を必要とせずに、予め設定された特定の位置の色を色認識部１３が認識できる。即ち、ユーザの操作が簡易化される。
【００７４】
また、本実施形態に係る携帯端末１において、表示部１２が、所定の画像と共に特定の位置を示す表示をすることにより、色認識部１３が色を認識する特定の位置をユーザに示すことができ、画像中のどの位置の色が認識されるのかをユーザに明確にすることが可能となる。即ち、ユーザの利用しやすさが向上する。
【００７５】
また、本実施形態に係る携帯端末１において、色認識部１３が、色を認識する契機を示す入力を受けつけ、該入力を契機として特定の位置の色を認識することにより、ユーザが色を認識させるタイミングを指定することができ、認識させたいと考えた色を確実に認識させることが可能となる。
【００７６】
また、本実施形態に係る携帯端末１において、色認識部１３が、特定の位置の一定時間の色の変化が所定の範囲内であれば、該特定の位置の色を認識することで、一定時間色の変化がなく（または少なく）、ユーザが認識させたい色を確定させたと考えられる場合に、ユーザによるハードキーやタッチパネルの操作なしで、ユーザが意図した位置の色を認識させることができる。即ち、ユーザの操作容易性をさらに向上させることができる。
【００７７】
また、本実施形態に係る携帯端末１において、表示部１２が、携帯端末１に記憶されている画像を表示することで、例えば自分の周りに指定した色が見当たらない場合や、夜間などでカメラを使用しても色の見分けがつかない場合などにもユーザによる色の選択が可能となる。即ち、ユーザにとっては、外部環境に左右されずに機能利用不可状態を解除することが可能となる。さらに、アウトカメラ２１もしくはインカメラ２２から入力された画像を表示部１２が表示している場合において、一定時間内にカメラから入力された画像に暗証色と近似する色が一定割合以上存在するか否か判断して、存在しなければ、自動的に、表示部１２が、携帯端末１に記憶されている画像を表示する（即ちカメラモードから記憶画像モードに変更される）という制御を行うことにより、ユーザにとっては、よりスムーズなロック解除の実施が可能となる。
【００７８】
また、本実施形態に係る携帯端末１において、表示部１２が携帯端末１に記憶されている画像を表示する場合には、記憶されている各画像が暗証色を一定割合以上含むか否か判断して、暗証色を一定割合以上含む画像のみを表示する（例えば暗証色と近似する色が一定割合以上存在しない画像の表示を禁止する）ように制御することで、ユーザが所定の色を容易に見つけ出しやすいようにすることができる。
【００７９】
また、本実施形態に係る携帯端末１においては、ロック解除のためのパスワードに相当するものとして、色、を採用しているが、色はユーザにとって直観的に選択できるものであるので、ロック解除のための操作がユーザにとって負担の少ないものとなる。
【００８０】
また、本実施形態に係る携帯端末１は、従来の画像の任意の点を指定するパスワード技術と異なり、特定の座標を指定するのではなく、色を指定してロック解除の可否を判断するものであるため、ユーザにとっては新たな感覚のロック解除方法であり、当該機能を搭載した携帯端末１の購買意欲を引き立てることができる。
【００８１】
以上、本発明の好適な実施形態について説明したが、本発明は上記実施形態に限られるものではなく、各請求項に記載した要旨を変更しない範囲で変形し、または他のものに適用したものであってもよい。
【００８２】
例えば、端末として携帯端末１を例にして説明したが、本発明は必ずしも携帯端末１のみに係るものではなく、機能を利用不可状態とし、当該機能利用不可状態を解除する機能を有する任意の端末で実現することができる。例えばＰＣ（ＰｅｒｓｏｎａｌＣｏｍｐｕｔｅｒ）で本発明が実現されてもよい。
【００８３】
また、表示装置としてタッチパネル１１を例示したが、これに限定されるものではなく、画像を表示させることができる液晶パネルを備える表示装置全般に応用できる。
【００８４】
また、携帯端末１に備えられたカメラとしてアウトカメラ２１とインカメラ２２とを記載したが、カメラが備え付けられている箇所（携帯端末１の外側、内側）はこれに限られず、また、必ずしもアウトカメラ２１とインカメラ２２の両方を有することを必要とされない。
【００８５】
また、本実施形態に係る携帯端末１は、アウトカメラ２１もしくはインカメラ２２に変えて、イメージセンサーを利用して色を検知してもよい。
【００８６】
また、ユーザに色を選択させる方法は上記に限定されるものではなく、例えば、カラースケール（例えば２４色のカラーパレットデータや、色見本の一覧表）の中から選択する方法がある。さらに、ユーザに暗証色を登録させる方法として、ＲＧＢを直接指定する方法（指定はＲＧＢ各２５６段階を数字やスライドバーなどで指定）が考えられる。
【００８７】
また、色の誤差の許容範囲として、ＲＧＢをＸＹＺの立体空間と見立てた場合の２点の距離で示した５０〜１００程度の値としたが、これに限定されるものではなく、ユーザが任意に設定することも可能とする。現在、多くのディスプレイが１つのピクセルに１６，７７７，２１６通り（ＲＧＢ各２５６段階、つまり２５６の３乗、これは２４ｂｉｔカラー）の色を表示できるため、この範囲内で、携帯端末１の持ち主であるユーザが色の誤差の許容範囲を設定可能としてもよい。例えば、ユーザの設定により、より厳格なセキュリティを求めることもできる（例えば、色の誤差の距離１０程度より小さい範囲とするなど）。
【００８８】
また、機能利用不可状態として、携帯端末１のロック状態を例示したが、これに限定されるものではなく、特定の機能を利用できる状態とするための前段階の状態全般を含むものであり、例えば特定のアプリケーション利用開始時に入力が必要となる暗証番号入力待ち状態等も当該機能利用不可状態に含まれる。
【符号の説明】
【００８９】
１…携帯端末、１１…タッチパネル、１２…表示部、１３…色認識部、１４…判断部、１５…利用不可状態解除部、１６…登録部、２１…アウトカメラ、２２…インカメラ。
【図１】
0005523496.tif 000002
【図２】
0005523496.tif 000003
【図３】
0005523496.tif 000004
【図４】
0005523496.tif 000005
【図５】
0005523496.tif 000006
【図６】
0005523496.tif 000007